(57)【要約】      （修正有）【課題】蓋の開閉に応じて昇降板が昇降するとともに、別途、ロック機構を備えなくても、蓋が開けられた状態では昇降板の下降を抑止するテーブルを提供する。【解決手段】テーブル１００は、回動式の蓋１１０と、蓋が開けられることに応じて上昇し、蓋が閉じられることに応じて下降する昇降板１２０と、蓋が閉じられた状態で蓋と昇降板との間に形成される収納部と、蓋の回動に応じて昇降板を昇降させるとともに、蓋が開けられた状態では昇降板の下降を抑止する昇降手段と、を備える。【選択図】図３
2016221137.tif 000002
【特許請求の範囲】
【請求項１】
回動式の蓋と、
前記蓋が開けられることに応じて上昇し、前記蓋が閉じられることに応じて下降する昇降板と、
前記蓋が閉じられた状態で前記蓋と前記昇降板との間に形成される収納部と、
前記蓋の回動に応じて前記昇降板を昇降させるとともに、前記蓋が開けられた状態では前記昇降板の下降を抑止する昇降手段と、
を備える、テーブル。
【請求項２】
前記昇降手段は、
前記昇降板と略平行に配置された基台と、
一端が前記昇降板および前記基台のいずれか一方における支点で回転可能に固定され、他端が他方に沿って摺動可能な支持部材と、
前記蓋が開けられることに応じて、前記支持部材は起立するように連動することを特徴とする、請求項１に記載のテーブル。
【請求項３】
前記蓋が開閉されることに応じて、前記支持部材には前記蓋に掛かる力と反対方向に力が作用するように、前記蓋と前記支持部材とを連結する連結部材を、さらに備えることを特徴とする、請求項２に記載のテーブル。
【請求項４】
前記蓋が開けられた状態では、前記支持部材は支点を通る略鉛直線上もしくはそれを越えて摺動が終端において規制されることを特徴とする、請求項２または請求項３に記載のテーブル。
【請求項５】
前記支持部材は、略平行に配置された第１支持部材と第２支持部材とを含むことを特徴とする、請求項２乃至請求項４のいずれかに記載のテーブル。
【請求項６】
前記蓋は、前記蓋が開けられた状態から略鉛直下向きに移動可能であることを特徴とする、請求項１乃至請求項５のいずれかに記載のテーブル。
【請求項７】
前記蓋の回動軸に上端が連結され、略鉛直方向に配置されたレールに沿ってスライド可能なガイド板を、さらに備えることを特徴とする、請求項６に記載のテーブル。
【発明の詳細な説明】
【技術分野】
【０００１】
本発明は、収納部を備えるテーブルに関し、より特定的には、昇降機構を備えて収納部を昇降可能とするテーブルに関する。
【背景技術】
【０００２】
一般的に、ノート型パーソナルコンピュータ（以下、ノート型パソコン）等を使用する際には、テーブルの天板上に載置した状態で使用することが多い。一方、ノート型パソコンの使用が終了した際には、そのテーブルの収納部に収納可能であると便利である。
【０００３】
使用者は、収納部に収納されているノート型パソコンを取り出し、テーブルの天板上に載置した状態で使用し、使用を終了して収納する際には、テーブルの天板上を整理し、電源コード等の配線を整理した上で、別途、扉や引き出し等を開けて収納部に収納することになる。
【０００４】
このように、使用者にとって、ノート型パソコンを使用／収納する度に、ノート型パソコンを収納部から取り出したり、収納部に収納したりすることは面倒である。また、場合によっては、使用状態のまま、テーブルの天板上に放置されることもある。
【０００５】
そこで、収納部の蓋をテーブルの天板として用いるとともに、当該蓋を開閉することに応じて収納部（底板）が昇降するテーブルが提案されている（例えば、特許文献１参照）。
【０００６】
図６は、従来のパソコン収納机６０を示す図である。図６において、パソコン収納机６０は、蓋６１と、収納部６２と、昇降板６３と、リフト手段６４とを含む。蓋６１は回動可能であって、蓋６１が閉じられた状態では、蓋６１と昇降板６３との間にノート型パソコンを収納するための収納部６２が形成される。
【０００７】
リフト手段６４は、クロスリンク６４ａ、６４ｂと中継リンク６４ｃとからなるリンク装置により形成され、パソコン収納机６０の側壁部に沿って配置される。中心部において互いに回り対偶で連結されたクロスリンク６４ａ、６４ｂのうち、クロスリンク６４ｂは、一端が昇降板６３を支持するプレート６４ｄに連結され、他端がベース部６４ｅに連結され、その両端とも回転および摺動自在である。また、クロスリンク６４ａは、一端が固定ヒンジ６４ｆに連結され、他端が中継リンク６４ｃに連結され、固定ヒンジ６４ｆを中心に回転自在である。さらに、中継リンク６４ｃは、蓋６１に連結されている。
【０００８】
蓋６１を後方に回動させると、中継リンク６４ｃによりクロスリンク６４ａが固定ヒンジ６４ｆを中心として回動する。このクロスリンク６４ａの回転により、他方のクロスリンク６４ｂは両端を中央部に摺動させながら回転し、プレート６４ｄが水平に上方に移動する。これにより、プレート６４ｄに支持されている昇降板６３が上昇する。
【０００９】
例えば、収納部６２にノート型パソコンが収納されていれば、蓋６１を後方に回動させることによって、当該ノート型パソコンは、机上に露出してそのまま使用可能な状態になる。逆に、蓋６１を閉じる方向に回動させると、昇降板６３が下降し、机上に露出していたノート型パソコンは、蓋６１と昇降板６３との間に形成される収納部６２に収納される。
【００１０】
換言すれば、パソコン収納机６０では、蓋６１が閉じられた状態では、蓋６１がテーブルの天板として機能し、蓋６１が開かれた状態では、昇降板６３がテーブルの天板として機能する。
【００１１】
以上のように、従来のパソコン収納机６０によれば、蓋６１の開閉に応じてノート型パソコンを使用状態／収納状態にするため、使用者にとってはノート型パソコンの準備や収納の手間が省けて利便性が向上する。
【先行技術文献】
【特許文献】
【００１２】
【特許文献１】特開２００３−２３０４３２号公報
【発明の概要】
【発明が解決しようとする課題】
【００１３】
しかしながら、特許文献１に記載のパソコン収納机６０では、蓋６１が開けられた状態で昇降板６３をテーブルの天板として使用している際に、使用者が手を付く等することによって昇降板６３に下向きの強い力が加わると、昇降板６３が下降してしまうという問題がある。
【００１４】
そこで、昇降板６３が下降することを抑止するためには、蓋６１が開かれてノート型パソコンが使用されている状態では、昇降板６３が下降しないように別途ロック機能を設ける必要があった。
【００１５】
それ故に、本発明は、上記のような課題に鑑みてなされたものであって、本発明の目的の１つは、蓋の開閉に応じて昇降板が昇降するとともに、別途、ロック機構を備えなくても、蓋が開けられた状態では昇降板の下降を抑止するテーブルを提供することである。
【課題を解決するための手段】
【００１６】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１７】
本発明の一局面におけるテーブル（１００）は、回動式の蓋（１１０）と、蓋が開けられることに応じて上昇し、蓋が閉じられることに応じて下降する昇降板（１２０）と、蓋が閉じられた状態で蓋と昇降板との間に形成される収納部（１３０）と、蓋の回動に応じて昇降板を昇降させるとともに、蓋が開けられた状態では昇降板の下降を抑止する昇降手段（１４０）と、を備える。
かかる構成により、本発明の一局面におけるテーブルは、蓋の開閉に応じて昇降板が昇降するとともに、別途、ロック機構を備えなくても、蓋が開けられた状態では昇降板の下降を抑止することができる。
【００１８】
また、好ましくは、昇降手段は、昇降板と略平行に配置された基台（１４１）と、一端が昇降板および基台のいずれか一方における支点で回動可能に固定され、他端が他方に沿って摺動可能な支持部材（１４２、１４３）と、蓋が開けられることに応じて、支持部材は起立するように連動する。
かかる構成により、本発明の一局面におけるテーブルは、蓋が開けられることに応じて、支持部材は起立するように連動するため、簡素な機構で昇降板がスムーズに上昇し、使用者にとって利便性が向上する。
【００１９】
また、好ましくは、本発明の一局面におけるテーブルは、蓋が開閉されることに応じて、支持部材には蓋に掛かる力と反対方向に力が作用するように、蓋と支持部材とを連結する連結部材（１４４、１４５）を、さらに備える。
かかる構成により、本発明の一局面におけるテーブルは、蓋と支持部材とを連結する連結部材によって、蓋が開閉されることに応じて、支持部材には蓋に掛かる力と反対方向に力が作用するように構成されているため、簡素な機構で昇降板がスムーズに昇降し、使用者にとって利便性が向上する。
【００２０】
また、好ましくは、蓋が開けられた状態では、支持部材は支点を通る略鉛直線上もしくはそれを越えて摺動が終端において規制される。
かかる構成により、本発明の一局面におけるテーブルは、支持部材の摺動が支点を通る略鉛直線上もしくはそれを越えて終端で規制されるため、蓋が開けられた状態で昇降板に下向きの強い力が加わったとしても、昇降板の下降を確実に抑止することができる。
【００２１】
また、好ましくは、支持部材は、略平行に配置された第１支持部材と第２支持部材とを含む。
かかる構成により、本発明の一局面におけるテーブルは、第１支持部材と第２支持部材とによって広い範囲において昇降板を支持しているため、蓋が開けられた状態で昇降板の広い範囲において下向きの強い力が加わったとしても、昇降板の下降を安定して抑止することができる。
【００２２】
また、好ましくは、蓋は、蓋が開けられた状態から略鉛直下向きに移動可能である。
かかる構成により、本発明の一局面におけるテーブルは、鉛直下向きに移動して収納されるため、外力によって、もしくは昇降板の下降と連動することによって、突発的に蓋が閉じることを防止できる。
【００２３】
また、好ましくは、本発明の一局面におけるテーブルは、蓋の回動軸に上端が連結され、略鉛直方向に配置されたレールに沿ってスライド可能なガイド板（１５０）を、さらに備える。
かかる構成により、本発明の一局面におけるテーブルは、蓋に連結されたガイド板が鉛直方向にスライドするため、スムーズに蓋を移動させることができる。
【発明の効果】
【００２４】
以上のように、本発明によれば、蓋の開閉に応じて昇降板が昇降するとともに、別途、ロック機構を備えなくても、蓋が開けられた状態では昇降板の下降を抑止するテーブルを実現できる。
【図面の簡単な説明】
【００２５】
【図１】本発明の一実施形態に係るテーブル１００を示す斜視図である。
【図２】本発明の一実施形態に係るテーブル１００において蓋が閉じられた状態を示す側面図である。
【図３】本発明の一実施形態に係るテーブル１００において蓋が開けられた状態を示す側面図である。
【図４】本発明の一実施形態に係るテーブル１００において蓋が開けられた状態で支持部材が起立している内部構造を示す拡大図である。
【図５】本発明の一実施形態に係るテーブル１００において蓋が開けられた状態から下方にスライドした状態を示す側面図である。
【図６】従来のパソコン収納机６０を示す図である。
【発明を実施するための形態】
【００２６】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００２７】
＜一実施形態＞
図１は、本発明の一実施形態に係るテーブル１００を示す斜視図である。図１において、テーブル１００は、蓋１１０と、昇降板１２０と、収納部１３０と、昇降手段１４０とを備える。
【００２８】
なお、昇降板１２０および昇降手段１４０は、実際は、テーブル１００の内部に構成されており外部から見えない部分もあるが、ここでは、テーブル１００の特徴を説明する都合上、図１においてテーブル１００の内部の構造を理解し易いように記載している。
【００２９】
また、本実施形態では、テーブル１００は教室に設置され、授業の際に使用されるノート型パソコン（図示せず）が昇降板１２０の上に載置されており、テーブル１００の収納部１３０に収納されているものとする。
【００３０】
蓋１１０は、テーブル１００の本体上部に設置されており、閉じられている状態ではテーブル１００の天板として使用することもできる。蓋１１０は、天板の一辺に沿った回動軸を中心に回動することによって開閉するように構成されている。
【００３１】
昇降板１２０は、蓋１１０が開けられることに応じて上昇し、蓋１１０が閉じられることに応じて下降する。蓋１１０が開けられた状態では、昇降板１２０はテーブル１００の上部位置まで上昇して、テーブル１００の天板として使用することができる。一方、蓋１１０が閉じられた状態では、昇降板１２０は下降して、テーブル１００の内部において蓋１１０と昇降板１２０との間に収納部１３０が形成される。
【００３２】
なお、蓋１１０が開けられた状態では、昇降板１２０は、下向きの力が加えられたとしても簡単には下降しないようになっており、その仕組みについては昇降手段１４０とともに詳細を後述する。
【００３３】
昇降手段１４０は、蓋１１０の回動に応じて昇降板１２０を昇降させるとともに、蓋１１０が開けられた状態では昇降板１２０の下降を抑止するように構成されている。以下に、昇降手段１４０の構成を詳しく説明する。
【００３４】
図２は、本発明の一実施形態に係るテーブル１００において蓋が閉じられた状態を示す側面図である。図２において、テーブル１００の昇降手段１４０は、基台１４１と、第１の支持部材１４２と、第２の支持部材１４３と、第１の連結部材１４４と、第２の連結部材１４５とを含んで構成されている。
【００３５】
基台１４１は、昇降板１２０と略平行に配置されており、テーブル１００の内部において水平に固定されている。
【００３６】
第１の支持部材１４２と第２の支持部材１４３とは、略平行に配置されている。第１の支持部材１４２および第２の支持部材１４３は、一端は、それぞれ基台１４１に固定された第１の支点Ｓ１および第２の支点Ｓ２を中心に回転可能に構成され、他端は、それぞれ昇降板１２０に沿って摺動可能に構成されている。
【００３７】
なお、第１の支持部材１４２および第２の支持部材１４３が昇降板１２０に沿って摺動可能な構成としては、例えば、昇降板１２０にガイドレールを配置し、当該ガイドレールに沿って、第１の支持部材１４２および第２の支持部材１４３の他端に備えつけられたガイドローラーが摺動する構成が考えられる。
【００３８】
また、第１の支持部材１４２と第２の支持部材１４３とが略平行状態を保持したまま昇降板１２０に沿って摺動するように、略水平方向に延びる補助支持部材によって第１の支持部材１４２と第２の支持部材１４３とを連結しても構わない。なお、補助支持部材は、第１の支持部材１４２および第２の支持部材１４３の中央部もしくは中央部よりも上方であることが好ましい。
【００３９】
蓋１１０が閉じられた状態では、第１の支持部材１４２および第２の支持部材１４３が所定の角度を有して傾倒しており、第１の支持部材１４２および第２の支持部材１４３は、それ以上傾倒する方向へ摺動しないように摺動機構の終端が構成されている。具体的には、第２の支持部材１４３のガイドローラーが昇降板１２０のガイドレールの終端に当接するか、もしくは図２に示すようにテーブル１００の側壁面に当接するように構成されればよい。
【００４０】
これにより、昇降板１２０に載置され、収納部１３０に収納されているノード型パソコンの重量が大きかったとしても、昇降板１２０は、それ以上、下降することはなく安定する。
【００４１】
次に、蓋１１０を開けようとした場合、第１の連結部材１４４および第２の連結部材１４５の作用について説明する。
【００４２】
第１の連結部材１４４は、一端は第１の支持部材１４２に固定された第３の支点Ｓ３を中心に回転可能に接続されており、第２の連結部材１４５は、一端は蓋１１０に直接的もしくは間接的に当接して、蓋１１０に沿って摺動可能なように構成されている。第１の連結部材１４４および第２の連結部材１４５の他端は、蓋１１０の回動軸側の第４の支点Ｓ４で互いに接続角度が変化可能に接続されている。さらに、第２の連結部材１４５は、蓋１１０に当接する一端と第４の支点Ｓ４との間で、昇降板１２０に固定された第５の支点Ｓ５を基点に回転可能な構成となっている。
【００４３】
そこで、蓋１１０を開けようとした場合、第２の連結部材１４５には、昇降板１２０に固定された第５の支点Ｓ５を基点に時計回りに回転する力が働く。
【００４４】
換言すれば、第２の連結部材１４５の一端は、蓋１１０に沿って蓋１１０の回動軸側方向に摺動し、他端は、第４の支点Ｓ４において蓋１１０の回動軸側方向とは反対の方向に力が働く。これにより、第１の連結部材１４４の一端である第３の支点Ｓ３において、第１の支持部材１４２が起立するように作用し、同時に第２の支持部材１４３も起立するように作用する。
【００４５】
図３は、本発明の一実施形態に係るテーブル１００において蓋が開けられた状態を示す側面図である。図３において、テーブル１００は、蓋１１０が開かれた状態であって、第１の支持部材１４２および第２の支持部材１４３が略鉛直方向に起立することによって、昇降板１２０は上昇してテーブル１００の天板として使用できるようになっている。
【００４６】
図２で説明したように、蓋１１０が閉じられている状態から開けようとした場合、第１の支持部材１４２および第２の支持部材１４３が起立するように作用し、蓋１１０が完全に開かれた状態になると、昇降板１２０がテーブル１００の天板の位置まで上昇する。
【００４７】
ここで、蓋１１０が完全に開けられた状態では、第１の支持部材１４２および第２の支持部材１４３は、略鉛直方向もしくは蓋１１０の回動軸とは反対方向に傾倒して起立している。第１の支持部材１４２および第２の支持部材１４３は、蓋１１０の回動軸とは反対方向にそれ以上摺動しないように、例えば、昇降板１２０に沿って構成されたガイドレールの終端もしくは図３に示すようにテーブル１００の側壁面に、第１の支持部材１４２のガイドローラーが当接していればよい。
【００４８】
図４は、本発明の一実施形態に係るテーブル１００において蓋が開けられた状態で支持部材が起立している内部構造を示す拡大図である。図４において、第１の支点Ｓ１を通る鉛直方向の基準線Ｌ１および第２の支点Ｓ２を通る鉛直方向の基準線Ｌ２と、第１の支持部材１４２および第２の支持部材１４３とをそれぞれ比較する。
【００４９】
第１の支持部材１４２および第２の支持部材１４３は、蓋１１０が閉じられた状態では、図２に示すように所定の角度を有して傾倒していた。そして、蓋１１０を開けようとすると、図４を用いて説明すると、第１の支持部材１４２および第２の支持部材１４３は、それぞれ第１の支点Ｓ１および第２の支点Ｓ２を中心に、反時計回りに回動し、最終的には、昇降板１２０に沿って摺動する第１の支持部材１４２のガイドローラーがテーブル１００の側壁面に当接することによって停止する。
【００５０】
蓋１１０が開かれた状態では、第１の支持部材１４２および第２の支持部材１４３は、少なくともそれぞれ基準線Ｌ１および基準線Ｌ２に沿った位置（昇降板１２０に対して９０度）で、もしくは図４に示すように基準線Ｌ１および基準線Ｌ２を越えた位置で、昇降板１２０に沿った摺動が規制され、第１の支点Ｓ１および第２の支点Ｓ２を中心とする反時計回りの回転が規制されるように構成されている。
【００５１】
これにより、蓋１１０が開かれた状態で昇降板１２０に下向きに力が加えられても、容易に下降し難くなっている。また、蓋１１０が開かれた状態で昇降板１２０が下降することによって蓋１１０が連動し、使用者が意図しない、もしくは不意に、蓋１１０が閉じられるということも防止でき、使用者にとっては安全性が確保できる。
【００５２】
図５は、本発明の一実施形態に係るテーブル１００において蓋が開けられた状態から下方にスライドした状態を示す側面図である。テーブル１００は、蓋１１０と連結され、かつ当該蓋１１０とともに移動可能なガイド板１５０を備えている。
【００５３】
ガイド板１５０は、蓋１１０の回動軸に沿って当該ガイド板１５０の上端が連結されており、図３で示した蓋１１０が開いている状態から、図５で示したテーブル１００の下位位置まで、蓋１１０とともに略鉛直下向きに移動する。
【００５４】
具体的には、ガイド板１５０は、テーブル１００の本体（側壁）に配置されたガイドレールに沿ってスライドすることによって、図３で示した蓋１１０が開いている状態から、図５で示したテーブル１００の下位位置まで、略鉛直下向きに移動する。これに伴い、当該ガイド板１５０に連結されている蓋１１０も略鉛直下向きに移動できるように構成されている。
【００５５】
この際、蓋１１０は、第２の連結部材１４５の一端において直接的もしくは間接的に当接して摺動可能であって、第２の連結部材１４５は、蓋１１０が略鉛直下向きに移動することに伴って第１の支持部材１４２に影響を与えないように構成されている。換言すると、蓋１１０が略鉛直下向きに移動する際に、それに連動して昇降板１２０が下降しないように構成されている。
【００５６】
また、ガイド板１５０の下部にはゴムクッションを配置していても構わない。これにより、ガイド板１５０が図５で示したテーブル１００の下位位置まで移動した際の衝撃が緩和できる。
【００５７】
このように、蓋１１０が開けられた後、略鉛直下向きに移動しておけば、使用者が意図しない、もしくは不意に蓋１１０が閉じられるということを確実に防止でき、使用者にとっては、より安全性が確保できる。
【００５８】
以上のように、本発明の一実施形態に係るテーブル１００によれば、蓋１１０の開閉に応じて昇降板１２０が昇降するとともに、別途、ロック機構を備えなくても、蓋１１０が開けられた状態では昇降板１２０の下降を抑止することができ、さらには、使用者にとって安全性が確保できる。
【００５９】
なお、本発明の一実施形態に係るテーブル１００では、第１の連結部材１４４および第２の連結部材１４５は、昇降板１２０の側面に固定された第５の支点Ｓ５を基点に回転可能に構成されている。本実施形態では、特に述べなかったが、連結部材（第１の連結部材１４４および第２の連結部材１４５）は、テーブル１００の両側に構成されていても構わないし、片側のみに構成されていても構わない。
【００６０】
連結部材が両側に構成される場合、蓋１１０を開閉する際に偏り生じ難くスムーズに開閉できる。連結部材が片側のみに構成される場合、蓋１１０が開かれた状態で昇降板１２０をテーブル１００の天板として使用する際に、連結部材を設置するための領域が片側だけであるため、作業スペースが広く確保できる。
【００６１】
なお、連結部材が片側のみに構成される場合であっても、支持部材（第１の支持部材１４２および第２の支持部材１４３）は、テーブル１００の両側に備えられていることが好ましい。この場合、両側に備えたれた支持部材は連動するように、例えば、それぞれの支持部材を接続する構成であればよく、これにより、昇降板１２０の昇降動作を両側において支持するため、昇降板１２０をよりスムーズに昇降させることができる。
【００６２】
また、上記本発明の一実施形態では、テーブル１００の蓋１１０が閉じられている状態から開けられる状態に変遷する様子を中心に説明し、さらに蓋１１０が下方にスライドする様子を説明した。逆に、図５で示したテーブル１００の下位位置から、ガイド板１５０および蓋１１０を上昇させて、その後、蓋１１０を閉じようとする場合については、メカニズム（作用）は、概ね逆になるだけであるため、詳細な具体例を挙げて説明することは省略する。
【００６３】
なお、ガイド板１５０は、定荷重バネ１６０を用いて保持されていても構わない。図５で示したテーブル１００の下位位置から、ガイド板１５０および蓋１１０を上昇させて、その後、蓋１１０を閉じようとする場合、定荷重バネ１６０を用いていると、上方にガイド板１５０および蓋１１０を移動させるための補助となる。
【００６４】
さらに、ガイド板１５０および蓋１１０が略鉛直下方にスライド移動した後、ガイド板１５０および蓋１１０を当該位置で保持するためのプッシュラッチを備えていても構わない。また、ガイド板１５０および蓋１１０を上方に移動させる際は、スムーズに移動可能となっている。
【００６５】
＜その他の実施形態＞
本発明の実施形態について、上述した一実施形態以外のその他の実施形態について、以下、その一部を説明する。
上記一実施形態では、昇降板１２０にガイドレールを配置する構成としたが、基台１４１にガイドレールを配置する構成であっても構わない。この場合、第１の支持部材１４２および第２の支持部材１４３は、一端は、それぞれ昇降板１２０対して固定された第１の支点および第２の支点を中心に回転可能に構成され、他端は、それぞれ基台１４１に沿って摺動可能に構成される。
【００６６】
なお、上記一実施形態では、テーブル１００は教室に設置され、授業の際に使用するノート型パソコンがテーブル１００の収納部１３０に収納されているものとしたが、テーブル１００の使用する状況は、これに限定されるものではない。
【００６７】
例えば、テーブル１００は、教育現場における教室の教師（講師）席、授業を行う教師（講師）や発表者の近傍、もしくはプレゼンテーション会場における司会者席や発表者近傍に設置されてもよい。テーブル１００の収納部１３０に、当該授業やプレゼンテーションの際に用いられるノート型パソコンを収納していれば、準備や収納が効率よく行うことができる。また、最近では、電子黒板を用いて授業することがあり、その場合、当該システムに用いられるノート型パソコンを収納しておくと便利である。
【００６８】
また、テーブル１００の収納部１３０に収納するものは、ノート型パソコンに限定されるものではない。教室やプレゼンテーション会場等、テーブル１００が設置される環境に応じて、例えば、タブレット、プロジェクタ、筆記用具、テキスト、教科書、資料、その他収納部１３０に収納可能なものであれば何でも構わない。
【００６９】
さらに、テーブルの上に煩雑になりがちな電源コードも収納しておいても構わないし、当該電源コードは、ノート型パソコンに繋がれて配線された状態でテーブル１００の蓋１１０の開閉を可能とする構成であると良い。これにより、使用者は、使用および収納する都度、電源コード等の配線準備／収納をしなくても良く、利便性が向上する。
【００７０】
さらに、収納部１３０に収納されたものに対する盗難対策として、蓋１１０を閉じた状態で施錠する構成であっても構わない。
【００７１】
以上、本発明の各実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００７２】
本発明は、収納部を備えるテーブル等に利用可能である。
【符号の説明】
【００７３】
１００  テーブル
１１０  蓋
１２０  昇降板
１３０  収納部
１４０  昇降手段
１４１  基台
１４２、１４３  支持部材
１４４、１４５  連結部材
１５０  ガイド板
１６０  定荷重バネ
Ｓ１、Ｓ２、Ｓ３、Ｓ４、Ｓ５  支点
Ｌ１、Ｌ２  基準線
６０  パソコン収納机
６１  蓋
６２  収納部
６３  昇降板
６４  リフト手段
６４ａ、６４ｂ  クロスリンク
６４ｃ  中継リンク
６４ｄ  プレート
６４ｅ  ベース部
６４ｆ  固定ヒンジ
【図１】
2016221137.tif 000003
【図２】
2016221137.tif 000004
【図３】
2016221137.tif 000005
【図４】
2016221137.tif 000006
【図５】
2016221137.tif 000007
【図６】
2016221137.tif 000008